(57)【特許請求の範囲】
【請求項１】
床面に自立した複数の支柱が、少なくとも前後のいずれかに係止孔を備え、前記係止孔にはブラケットが係止され、前記複数の支柱に係止されたブラケットにより物品載置板が前記複数の支柱の少なくとも前後のいずれかに延びて支持された物品載置用什器であって、
脚部を備えた水平杆が、前記係止孔に係止可能なフック状の係止部を用いて前記支柱の側方に延びて支持され、前記水平杆に増設用の物品載置板が取付けられるようになっていることを特徴とする物品載置用什器。
【請求項２】
前記係止部は、前記水平杆と別体であり前記係止孔に係止可能なフックを備えた係止具から構成されていることを特徴とする請求項１に記載の物品載置用什器。
【請求項３】
前記支柱の前後面にそれぞれ係止孔が設けられており、前記支柱の前面側及び後面側の係止孔にそれぞれ係止される分割構造の前記係止具を有していることを特徴とする請求項２に記載の物品載置用什器。
【請求項４】
前記分割構造の係止具は、前記水平杆の端部により被冠されることで接続固定されるようになっていることを特徴とする請求項３に記載の物品載置用什器。
【請求項５】
前記支柱の前後の係止孔には、前記増設用の物品載置板の側縁を前記水平杆よりも高い位置で支持する前後一対のブラケットが係止されており、前記増設用の物品載置板は、前記水平杆の前記支柱側の下方から挿通される締着手段により前記水平杆に締着されることを特徴とする請求項１ないし４のいずれかに記載の物品載置用什器。
【発明の詳細な説明】
【技術分野】
【０００１】
本発明は、工場や配送センター・販売店等で使用される作業台や商品陳列棚などの物品載置用什器に関する。
【背景技術】
【０００２】
工場や配送センター・販売店等で使用される作業台や商品陳列棚などの物品載置用什器として、左右の支柱を利用して前後に棚板（物品載置板）を取付けたものがある。この左右の支柱は、前後面に複数の係止孔をそれぞれ有しており、左右の支柱の前後面の係止孔にブラケットのフックをそれぞれ取付け、左右のブラケットの上面に棚板をそれぞれ取付けている。このブラケットの取付け位置により棚板の高さ調整が可能となっている（例えば、特許文献１参照）。
【０００３】
一般的に、工場や配送センター・販売店等では、業務内容が異なり、必要な作業スペースや陳列スペースがそれぞれ異なるため、必要に応じて棚板を左右方向に追加して作業スペースや陳列スペースを増やすことがあった。従来の物品載置用什器にあっては、２つの物品載置用什器を用意して、その２つの物品載置用什器を左右に並列させることで棚板を増設するようになっている。
【先行技術文献】
【特許文献】
【０００４】
【特許文献１】特開２０１２−２２３４１３号公報（第５頁、第１図）
【発明の概要】
【発明が解決しようとする課題】
【０００５】
しかしながら、このような従来の物品載置用什器にあっては、２つの物品載置用什器を左右に並列させることで棚板を増設しているため、その棚板上で作業を行う場合に、２つの物品載置用什器の相対的なぐらつきが生じ、作業性が悪かった。そこで、左右の棚板を一体的に取付けて物品載置スペースを増やすことができるものが求められていた。
【０００６】
本発明は、このような問題点に着目してなされたもので、既存の物品載置板に対して強固に且つ簡便に増設用の物品載置板を増設できる物品載置用什器を提供することを目的とする。
【課題を解決するための手段】
【０００７】
前記課題を解決するために、本発明の物品載置用什器は、
床面に自立した複数の支柱が、少なくとも前後のいずれかに係止孔を備え、前記係止孔にはブラケットが係止され、前記複数の支柱に係止されたブラケットにより物品載置板が前記複数の支柱の少なくとも前後のいずれかに延びて支持された物品載置用什器であって、
脚部を備えた水平杆が、前記係止孔に係止可能なフック状の係止部を用いて前記支柱の側方に延びて支持され、前記水平杆に増設用の物品載置板が取付けられるようになっていることを特徴としている。
この特徴によれば、水平杆は、フック状の係止部により支柱に連結され、脚部及び支柱により支持されており、その水平杆に対して物品載置板が取付けられるため、増設用の物品載置板を既存の物品載置板の自立した支柱を用いて強固に増設できる。また、係止部を支柱の係止孔に係止して水平杆を支持するため、増設用の物品載置板の増設作業が簡便である。
【０００８】
前記係止部は、前記水平杆と別体であり前記係止孔に係止可能なフックを備えた係止具から構成されていることを特徴としている。
この特徴によれば、水平杆とフックを備えた係止具とが別体で構成されているため、水平杆を支柱に取付ける作業を容易に行える。
【０００９】
前記支柱の前後面にそれぞれ係止孔が設けられており、前記支柱の前面側及び後面側の係止孔にそれぞれ係止される分割構造の前記係止具を有していること特徴としている。
この特徴によれば、支柱の前面側及び後面側の係止孔にそれぞれ係止される分割構造の係止具を利用しているため、係止具の係止強度が高まる。
【００１０】
前記分割構造の係止具は、前記水平杆の端部により被冠されることで接続固定されるようになっていることを特徴としている。
この特徴によれば、分割構造の係止具が水平杆の端部により係止具を挟み込むことで、簡単な構造で水平杆を支柱に対し極めて強固に且つ容易に取付けることができる。
【００１１】
前記支柱の前後の係止孔には、前記増設用の物品載置板の側縁を前記水平杆よりも高い位置で支持する前後一対のブラケットが係止されており、前記増設用の物品載置板は、前記水平杆の前記支柱側の下方から挿通される締着手段により前記水平杆に締着されることを特徴としている。
この特徴によれば、増設用の物品載置板の支柱側の側縁における前後側が一対のブラケットにより水平杆よりも高い位置で支持されるとともに、水平杆の下方から増設用の物品載置板を締着手段により締着度合を調整することで、支柱側の側縁における前後側よりも支柱側の側縁における中央部が低くなるように増設用の物品載置板を曲げ調整することが可能となり、当該物品載置板の前後縁から物品が落下することがないようにできる。
【図面の簡単な説明】
【００１２】
【図１】物品載置用什器を示す斜視図である。
【図２】物品載置用什器を示す分解斜視図である。
【図３】（ａ）は、補助台の天板の裏面側の構造を示す下面図であり、（ｂ）は、（ａ）のＡ−Ａ断面図である。
【図４】係止具の分割構造を示す斜視図である。
【図５】第１係止具と第２係止具とを支柱に取付けた状態を示す斜視図である。
【図６】第１係止具と第２係止具とに水平杆を接続した状態を示す側断面図である。
【図７】水平杆上に補助台の天板を載置した状態を示す側断面図である。
【図８】水平杆上に補助台の天板を接続する態様を示す正面断面図である。
【図９】長尺ボルトにより天板の支柱近傍の側縁部側を撓曲させた状態を示す側断面図である。
【発明を実施するための形態】
【００１３】
本発明に係る物品載置用什器を実施するための形態を実施例に基づいて以下に説明する。
【実施例】
【００１４】
実施例に係る物品載置用什器につき、図１から図９を参照して説明する。以下、図６及び図７の画面左側を物品載置用什器の正面側（前方側）とし、物品載置用什器を正面側から見て左右側を物品載置用什器の左右側として説明する。
【００１５】
図１に示されるように、工場や配送センター・販売店等には、物品の梱包作業等を行う物品載置用什器１が配置されている。物品載置用什器１は、作業台２に対して補助台１１が並列して増設されることで、物品の梱包作業等を行う作業スペースを大きくしたものである。
【００１６】
図１及び図２に示されるように、作業台２は、左右に離間する支柱３，３’と、支柱３，３’の前後面にブラケット５，５，…を介して水平に支持された既設の物品載置板としての天板４，４と、支柱３，３’の前後面における天板４，４よりも上部にブラケット６，６，…を介して支持された棚板７，７と、を備えている。この作業台２は、天板４，４上で物品の梱包作業等を行えるようになっており、棚板７，７上には、梱包作業に用いる備品などを載置できるようになっている。
【００１７】
支柱３，３’は、各下端部に前後に張り出す脚部材８，８を備えており、支柱３，３’が安定的に自立するようになっている。また、支柱３，３’の上端部同士が連結部材９により連結されているとともに、支柱３，３’の下端部同士が正面視矩形状の枠体１０により連結され、支柱３，３’同士のぐらつきが補強されている。
【００１８】
また、支柱３，３’の前後面には、左右２列の係止孔３ａ，３ａが上下方向に複数設けられ、この係止孔３ａ，３ａ，…にブラケット５，５，…のフックを係止可能となっている。前方側の天板４は、支柱３の左側の係止孔３ａに係止されたブラケット５と、支柱３’の右側の係止孔３ａに係止されたブラケット５と、に渡って取付けられている（片側のみ図示）。また、後方側の天板４も同様に、支柱３の正面視左側の係止孔３ａに係止されたブラケット５と、支柱３’の正面視右側の係止孔３ａに係止されたブラケット５と、に渡って取付けられている。
【００１９】
また、このブラケット５，５のフックと反対側の端部は、上方に向けて若干傾斜しており、前後の天板４，４は、支柱３，３’側に低くなるように傾斜している。そのため、天板４，４の前後端から物品が落ちにくくなっている。また、前後の天板４，４の間には、天板４，４の隙間を塞ぐ閉塞部材３０が取付けられており、天板４，４の隙間から物品が落下することが防止されている。
【００２０】
図１及び図２に示されるように、補助台１１は、支柱３の前後の係止孔３ａ，３ａ，…に係止可能な係止部としての係止具１２と、一端側が係止具１２に接続されて支柱３の側方に水平に延びる水平杆１３と、水平杆１３の他端側に接続されて支持する脚部としての脚体１４と、支柱３の前後の係止孔３ａ，３ａ，…に係止可能な前後に延びるブラケット１５，１５と、水平杆１３，脚体１４，及びブラケット１５，１５により支持される増設用の物品載置板としての天板１６と、から主に構成されている。
【００２１】
図２に示されるように、水平杆１３は、押出形成により形成された断面視矩形状を成す金属製の管材からなる。すなわち、水平杆１３は、支柱３側の端部１３ａと脚体１４側の端部１３ｂとが左右方向に連通して開口している。また、この水平杆１３は、支柱３側の端部１３ａに上下に貫通する連通孔１３ｃ，１３ｄが形成されている（図８参照）。
【００２２】
また、脚体１４は、水平杆１３と直交して前後に延びる延設部１４ａと、延設部１４ａの前後両端に固定される支持脚部１４ｂ，１４ｂと、延設部１４ａの中央部から支柱３側に突出する凸部１４ｃと、から成る。また、延設部１４ａには、左右に突出する取付片１７，１７，…が前後に離間して複数設けられている。
【００２３】
また、補助台１１のブラケット１５は、支柱３側の端部にフック１５ａを備えており、係止孔３ａに対して係止可能となっている。また、ブラケット１５におけるフック１５ａ側の上部には、切欠き１５ｂ（詳細には、図６参照）が形成されている。また、ブラケット１５の上端には、水平杆１３側に折れ曲がる屈曲片１５ｃを有しており、天板１６の支柱３側の側縁部３１ａ（図３及び図８参照）の下面を支持できるようになっている。また、図６に示されるように、ブラケット１５の上端には、屈曲片１５ｃよりも上方に突起して前後に延びる鉤部１５ｄが形成されている（図６参照）。
【００２４】
また、図２及び図３に示されるように、補助台１１の天板１６は、作業台２の前後の天板４，４を合わせた形状と平面視で略同一の形状を成す。また、天板１６は、周側縁が下方に折り曲げて形成された断面視コ字形状の表面部材３１と、表面部材３１の裏面側に複数設けられた左右方向に延びる断面視コ字状のリブ３２，３２，…と、表面部材３１の裏面側に設けられ脚体１４の延設部１４ａを固定するための接続部３３，３３と、を備えている。また、表面部材３１における支柱３側の側縁部３１ａには、前後のブラケット１５，１５の鉤部１５ｄ，１５ｄ（図７参照）を係止可能な係止スリット３４，３４が形成されている。
【００２５】
図２及び図４に示されるように、係止具１２は、支柱３の前面側の係止孔３ａに係止される第１係止具１８と、支柱３の前面側の係止孔３ａに係止される第２係止具１９と、から成る２分割構造である。以下、図４の左奥側を支柱３側として説明する。
【００２６】
図４に示されるように、第１係止具１８は、左右方向に延び側面視Ｌ字形状の基部２０を備えている。この基部２０は、上下に延びる垂直片２０ａと、垂直片２０ａの下端から後方に向けて水平に延びる水平片２０ｂと、から成る。この水平片２０ｂには、上下に貫通する貫通孔２０ｃ，２０ｄが左右に離間して形成されており、右側の貫通孔２０ｄの上端部には、内周面に雌ネジが形成されたナット２４が固着されている。また、基部２０の支柱３側の端部には、前方に折れて支柱３の側面と平行に延びる折曲片２１が形成されている。この折曲片２１の先端部上端には、支柱３側に延び、且つ支柱３の前面側の係止孔３ａに係止可能となるように屈曲したフック２２を備えている。また、折曲片２１の先端部におけるフック２２の下方には、支柱３の前面と平行に延びる当接片２３が形成されている。
【００２７】
また、図４に示されるように、第２係止具１９は、左右方向に延び側面視コ字形状の基部２５を備えている。この基部２５は、上下に延びる垂直片２５ａと、垂直片２５ａの上下端から前方に向けて水平に延びる上部水平片２５ｂ及び下部水平片２５ｃと、から成る。上部水平片２５ｂ及び下部水平片２５ｃには、上下に貫通する貫通孔２６ａ，２６ｂが左右に離間してそれぞれ形成されている。また、基部２５の支柱３側の端部には、後方に折れて支柱３の側面と平行に延びる折曲片２７が形成されている。この折曲片２７の先端部上端には、支柱３側に延び、且つ支柱３の後面側の係止孔３ａに係止可能となるように屈曲したフック２８を備えている。また、折曲片２７の先端部におけるフック２８の下方には、支柱３の後面と平行に延びる当接片２９が形成されている。
【００２８】
これら第１係止具１８及び第２係止具１９は、第１係止具１８の基部２０が第２係止具１９の基部２５内に嵌合されることで前後に重なり合うようになっている。詳しくは、図５に示されるように、第１係止具１８のフック２２を支柱３の前面側の係止孔３ａに係止させるとともに、第２係止具１９のフック２８を支柱３の後面側の係止孔３ａに係止させ、第１係止具１８及び第２係止具１９同士を前後に重ねるようになっている。第１係止具１８及び第２係止具１９同士が重なった状態にあっては、第１係止具１８の基部２０と第２係止具１９の基部２５とが側面視で略矩形状に形成される。また、第１係止具１８の貫通孔２０ｃ，２０ｄと、第２係止具１９の貫通孔２６ａ，２６ｂと、が上下に連通するようになる。
【００２９】
次に、作業台２に対して補助台１１を増設する作業について説明する。図５に示されるように、先ず、支柱３の前後面の係止孔３ａにおける正面視右側の係止孔３ａにブラケット１５，１５をそれぞれ係止する。ブラケット１５，１５の屈曲片１５ｃ，１５ｃは、その支柱側端部１５ｆ，１５ｆよりも、該支柱側端部１５ｆ，１５ｆの反対側に位置する先端端部１５ｇ，１５ｇが上方に位置するように傾斜している（図６参照）。
【００３０】
次いで、図５に示されるように、ブラケット１５，１５と上下同列の係止孔３ａ，３ａに対して第１係止具１８及び第２係止具１９を係止させ、前後に重ね合わせる。このとき、第１係止具１８の当接片２３と第２係止具１９の当接片２９とは、ブラケット１５，１５の切欠き１５ｂ，１５ｂの位置にそれぞれ配されブラケット１５，１５の切欠き上端面１５ｅ，１５ｅに当接するとともに、支柱３の前後面にそれぞれ当接するようになる。また、第１係止具１８及び第２係止具１９は、ブラケット１５，１５の屈曲片１５ｃ，１５ｃよりも低い位置に配置される。また、第１係止具１８の折曲片２１と第２係止具１９の折曲片２７とは、支柱３の側面にそれぞれ当接する。
【００３１】
続いて、図２及び図６に示されるように、前後に重なった第１係止具１８の基部２０と第２係止具１９の基部２５とに対して、水平杆１３の端部１３ａを外嵌させるように挿通する。これによれば、第１係止具１８及び第２係止具１９が水平杆１３の端部１３ａにより被冠されることで前後に離間不能に接続される。また、水平杆１３の端部１３ａは、側辺が連続した側面視矩形状を成しているため、水平杆１３の端部１３ａの構造が強くなっており、第１係止具１８及び第２係止具１９の前後への離間が強固に規制される。また、第１係止具１８の基部２０及び第２係止具１９の基部２５と、水平杆１３とは、側面視で略矩形状を成すため、水平杆１３が第１係止具１８及び第２係止具１９に対して回転不能となる。また、水平杆１３の上面１３ｅは、ブラケット１５，１５の屈曲片１５ｃ，１５ｃにおける先端端部１５ｇ，１５ｇ側よりも低い位置に配置されている（図６の一点鎖線Ｂ参照）。
【００３２】
このように、係止具１２を構成する第１係止具１８及び第２係止具１９が、水平杆１３と別体であることから、先ず、第１係止具１８及び第２係止具１９を支柱３に取付けた後、比較的大きな部材である水平杆１３を第１係止具１８及び第２係止具１９に取付けることができる。そのため、水平杆１３を支柱３の側方に接続する作業を容易に行うことができる。
【００３３】
また、支柱３の前面側及び後面側の係止孔３ａにそれぞれ係止される第１係止具１８及び第２係止具１９とから成る分割構造の係止具１２を利用しているため、支柱３に対する係止具１２の係止強度が高まる。
【００３４】
また、係止具１２を構成する第１係止具１８及び第２係止具１９を前後から水平杆１３の端部１３ａにより挟み込むことで、第１係止具１８及び第２係止具１９が支柱３を前後から挟持するようになるため、簡単な構造で水平杆１３を支柱３に対し極めて強固に且つ容易に取付けることができる。
【００３５】
さらに、第１係止具１８の当接片２３と第２係止具１９の当接片２９とは、支柱３の前面または後面にそれぞれ当接するとともに、第１係止具１８の折曲片２１と第２係止具１９の折曲片２７とは、支柱３の側面にそれぞれ当接するため、例えば支柱３側を支点として前後に捻じれるような外力に対する水平杆１３の強度が向上する。
【００３６】
また、図２に示されるように、水平杆１３の端部１３ｂには、延設部１４ａから支柱３側に突出した凸部１４ｃが挿通されることにより脚体１４が接続される。水平杆１３の端部１３ｂと凸部１４ｃとは、図示しないボルト等により固定されて強固に接続される。このように、水平杆１３は、水平状態に保たれたまま支柱３及び脚体１４により支持される。
【００３７】
次に、図２及び図７に示されるように、水平杆１３の上方に対して、補助台１１の天板１６を配置する。詳しくは、天板１６の係止スリット３４，３４に対して、ブラケット１５，１５の鉤部１５ｄ，１５ｄを挿入し、前後に移動しないように係止する。このときには、図７に示されるように、ブラケット１５，１５の屈曲片１５ｃ，１５ｃにおける先端側端部１５ｇ，１５ｇ側よりも低い位置に配置された水平杆１３の上面１３ｅと、天板１６の中央のリブ３２の下面とが上下に離間した状態となっている。
【００３８】
次いで、図示しないが、天板１６の接続部３３，３３と、脚体１４の取付片１７，１７，…と、をボルト等により接続するとともに、ボルト等により天板１６と屈曲片１５ｃ，１５ｃとを下面側から固定する。これにより、天板１６が水平杆１３と脚体１４とにより支持される。
【００３９】
前述のように、補助台１１の天板１６は、作業台２の前後の天板４，４を合わせた形状と平面視で略同一の形状を成すため、前後に隙間が形成されず、美観に優れているとともに、使い勝手もよい。
【００４０】
続いて、図８に示されるように、短尺ボルト３６を、水平杆１３の連通孔１３ｄと、第２係止具１９の下側の貫通孔２６ｂと、該貫通孔２６ｂに連通する第１係止具１８の貫通孔２０ｄと、に下方から挿通する。これにより、短尺ボルト３６の先端が、第１係止具１８の貫通孔２０ｄの上部に設けられたナット２４に螺合され、水平杆１３，第１係止具１８，及び第２係止具１９が固定される。
【００４１】
また、図８に示されるように、長尺ボルト３７（締着手段）を、水平杆１３の下側の連通孔１３ｃと、第２係止具１９の下側の貫通孔２６ａと、該貫通孔２６ａに連通する第１係止具１８の貫通孔２０ｃと、の下方から挿通する。
【００４２】
図８及び図９に示されるように、この長尺ボルト３７の先端は、第２係止具１９の上側の貫通孔２６ａ’と、水平杆１３の上側の連通孔１３ｃと、を貫通して天板１６まで到達し、天板１６の中央のリブ３２に設けられた雌ネジ部３５に螺合される。また、このときには、前述のように、第１係止具１８の当接片２３と第２係止具１９の当接片２９とが、ブラケット１５，１５の切欠き上端面１５ｅ，１５ｅに当接し、ブラケット１５，１５が上方へ浮き上がりが防止されている。
【００４３】
これにより、天板１６の支柱３近傍の側縁部３１ａ側が水平杆１３に引き寄せられて撓曲するようになる（図９参照）。そのため、ブラケット１５，１５の屈曲片１５ｃ，１５ｃに支持された天板１６の支柱３側の側縁部３１ａにおける前後側よりも、水平杆１３に固定された天板１６の支柱３側の側縁部３１ａにおける中央部が低くなるため、天板１６の前後縁から物品が落下することがないようにできる。尚、この長尺ボルト３７の締着度合を調整することで、天板１６の撓曲度合を適宜調整できる。
【００４４】
前述のように、水平杆１３が第１係止具１８及び第２係止具１９から構成される係止具１２により、支柱３の側方に接続され、この支柱３と脚体１４とで支持されている。すなわち、作業台２の天板４，４と補助台１１の天板１６とを自立した支柱３を兼用して接続することができるため、作業台２の天板４，４に対して補助台１１の天板１６を強固に増設することができる。そのため、作業台２の天板４，４と補助台１１の天板１６との相対的なぐらつきが防止され、作業台２及び補助台１１での作業性を向上させることができる。また、係止具１２を利用して支柱３の係止孔３ａに係止することで天板１６を支持するための水平杆１３を支柱３に接続できるため、補助台１１の天板１６の増設作業が簡便である。
【００４５】
以上、本発明の実施例を図面により説明してきたが、具体的な構成はこれら実施例に限られるものではなく、本発明の要旨を逸脱しない範囲における変更や追加があっても本発明に含まれる。
【００４６】
例えば、前記実施例では、支柱３の前後に係止孔３ａ，３ａ，…が形成され、支柱３の前後の係止孔３ａ，３ａ，…にそれぞれ係止する第１係止具１８及び第２係止具１９により、支柱３の側方に水平杆１３が接続される態様について説明したが、これに限られず、例えば、支柱３の前後のいずれかに係止孔３ａ，３ａ，…を形成し、その係止孔３ａ，３ａ，…に係止される係止具を用いて、支柱３の側方に水平杆１３を接続するようにしてもよい。
【００４７】
また、係止具１２は、第１係止具１８及び第２係止具１９から成る２分割構造に限られず、３つ以上に分割されていてもよい。また、係止部を水平杆１３と別部材である係止具１２として説明したが、これに限られず、例えば係止部は水平杆１３の端部１３ａ側に一体に形成されていてもよいし、支柱３の前後いずれかの係止孔３ａに係止するようになっていても構わない。
【００４８】
また、第１係止具１８及び第２係止具１９は、水平杆１３の端部１３ａにより被冠することで接続固定されていたが、例えば、別部材の連結部材により第１係止具１８及び第２係止具１９を離間不能に接続した後、水平杆１３を接続固定するようにしてもよい。
【００４９】
さらに、水平杆１３の端部１３ａは、側辺が連続した側面視矩形状を成している態様について説明したが、これに限られず、例えば、水平杆が前後に分割され、分割構造の水平杆により、連結された第１係止具１８及び第２係止具１９を前後から挟み込むように接続してもよい。
【００５０】
また、補助台１１の天板１６の支柱３近傍の側縁部３１ａ側が水平杆１３に引き寄せられて撓曲した態様について説明したが、天板１６の上面が水平となっていてもよい。さらに、補助台１１の天板１６を脚体１４とブラケット１５とに固定されていたが、これに限られず、ブラケット１５の構成を省略してもよい。
【００５１】
また、水平杆１３と脚体１４とが別部材で構成されている態様について説明したが、水平杆１３と脚体１４とが一体に形成されていてもよい。
【００５２】
また、作業台２の右側方に補助台１１を増設する態様について説明したが、作業台２の両側方に補助台１１を増設しても構わない。また、作業台２は、左右に離間して配された支柱３，３’により天板４，４を支持していたが、例えば、１本の支柱３によりその側方に天板４，４を支持した作業台であってもよい。
【符号の説明】
【００５３】
１                物品載置用什器
２                作業台
３，３’          支柱
３ａ              係止孔
４                作業台の天板（既存の物品載置板）
５，６            ブラケット
１１              補助台
１２              係止具（係止部）
１３              水平杆
１３ａ            支柱側の端部
１３ｂ            脚体側の端部
１４              脚体（脚部）
１５              ブラケット
１５ａ            フック
１６              補助台の天板（増設用の物品載置板）
１８              第１係止具
１９              第２係止具
２２              第１係止具のフック
２３              第１係止具の当接片
２８              第２係止具のフック
２９              第２係止具の当接片
３１              表面部材
３１ａ            側縁部
３７              長尺ボルト（締着手段）
【図１】
0006426950.tif 000002
【図２】
0006426950.tif 000003
【図３】
0006426950.tif 000004
【図４】
0006426950.tif 000005
【図５】
0006426950.tif 000006
【図６】
0006426950.tif 000007
【図７】
0006426950.tif 000008
【図８】
0006426950.tif 000009
【図９】
0006426950.tif 000010